(57)【要約】【課題】  画像形成装置の後処理装置において、部単位の後処理を適切な速度で実施できるようにする。【解決手段】  画像形成装置Ａと後処理装置Ｂを有する。画像形成装置Ａは、後処理装置Ｂからの排紙制御値に基く各部間の排紙タイミングで用紙を後処理装置Ｂ側に排紙制御する。後処理装置Ｂは、複合機Ａの用紙搬入を検出する第１の検出部２１と、部毎の後処理完了を検出する第２の検出部２５と、第１、第２の検出部２１、２３による検出に基づき、部毎の先頭頁用紙の搬入から後処理の完了までのカウント値を出力するカウント部２７と、画像形成装置Ａに対し、第１部目と第２部目間の排紙制御値として予め設定された初期値を、第２部目以降の排紙インターバル期間としてカウント値に基づく排紙制御値を出力する出力部２９とを有している。【選択図】  図１
2009166976.tif 000002
【特許請求の範囲】
【請求項１】
画像形成装置から排紙された用紙の搬入を検出する第１の検出部と、
この第１の検出部を経た前記用紙に対する部毎の後処理の完了を検出する第２の検出部と、
前記第１、第２の検出部の検出に基づき、前記部毎の最終頁用紙の搬入から後処理の完了までの期間をカウントしてカウント値を出力するカウント部と、
前記画像形成装置に対し、前記用紙における第１部目と第２部目間の排紙インターバル期間として予め設定された初期値を出力するとともに、前記第２部目以降の部間の排紙インターバル期間として前記カウント値に基づく排紙制御値を出力する出力部と、
を具備することを特徴とする画像形成装置の後処理装置。
【請求項２】
前記出力部は、前記カウント値に所定の付加期間を加算して前記排紙制御値を出力する請求項１記載の画像形成装置の後処理装置。
【請求項３】
前記第２の検出部は、所定位置に排紙された前記用紙から前記後処理の完了を検出する請求項１又は２記載の画像形成装置の後処理装置。
【請求項４】
前記出力部は、前記用紙の各部毎に前記排紙制御値を出力する請求項１〜３いずれか１記載の画像形成装置の後処理装置。
【請求項５】
用紙に画像形成して排紙する画像形成装置と、これに連結されるとともに前記画像形成装置から排紙された前記用紙に対する部毎の後処理を行う後処理装置とを有する後処理システムであり、
前記画像形成装置は、
前記後処理装置からの排紙制御値に基く各部間の排紙インターバル期間で前記用紙を前記部毎に前記後処理装置側に排紙制御する排紙制御部を有し、
前記後処理装置は、
前記画像形成装置から排紙された前記用紙の搬入を検出する第１の検出部と、
この第１の検出部を経た前記用紙に対する前記部毎の前記後処理の完了を検出する第２の検出部と、
前記第１、第２の検出部の検出に基づき、前記部毎の最終頁用紙の搬入から後処理の完了までの期間をカウントしてカウント値を出力するカウント部と、
前記画像形成装置に対し、前記用紙における第１部目と第２部目間の前記排紙制御値として予め設定された初期値を出力するとともに、前記第２部目以降の前記排紙インターバル期間として前記カウント値に基づく前記排紙制御値を出力する出力部とを有する、
ことを特徴とする後処理システム。
【請求項６】
前記出力部は、前記第２の検出部からの前記カウント値に所定の付加期間を加算して前記排紙制御値を出力する請求項５記載の後処理システム。
【請求項７】
前記第２の検出部は、所定位置に排紙された前記用紙から前記後処理の完了を検出する請求項５又は６記載の後処理システム。
【請求項８】
前記出力部は、前記用紙の各部毎に前記排紙制御値を出力する請求項５〜７いずれか１記載の後処理システム。
【発明の詳細な説明】
【技術分野】
【０００１】
本発明は画像形成装置の後処理装置および後処理システムに係り、例えば複写機、ファクシミリ機又はこれらの複合機（ＭＦＰ：Multi Function Peripheral）等の画像形成装置に連結される後処理装置およびこれを用いた後処理システムの改良に関する。
【背景技術】
【０００２】
近年、複合機等においては、後処理装置を連結し、複合機から印刷されて排紙された複数枚の用紙を一纏めにした部単位でステープル処理、パンチ処理又は中折り処理等の後処理（フィニッシャ処理）を施せるようになっている。
【０００３】
このように、後処理装置によって用紙を部単位で後処理する場合、例えば、図４に示すように、個々の部単位では、複合機から短い用紙搬入間隔ｔで用紙を後処理装置に搬入制御する一方、確実な後処理動作の繰り返しを確保するために、ある部における束最終頁用紙と直後の部における束先頭頁用紙との間では、用紙の搬入間隔ｔより比較的長い部間隔Ｔで搬入制御するのが一般的である。
【０００４】
しかも、後処理する用紙サイズや、後処理の種類すなわちステープル処理、パンチ処理又は中折り処理等に応じ、その部間隔Ｔを変更する必要がある。
【０００５】
そこで、従来は、後処理する用紙サイズおよび後処理の種類に応じた部間隔Ｔのデータを、テーブル状に作成して例えば後処理装置側に記憶しておき、用紙サイズや後処理の種類に応じた部間隔Ｔを複合機側に出力し、複合機からの排紙を制御していた。
【０００６】
ところが、このような構成では、後処理の処理速度を速めて生産性を上げようとすると、後処理の種類に応じた部間隔Ｔをより細かく、更新、設定する必要が生じ、設定作業が繁雑となる。
【０００７】
しかも、後処理装置では、複合機からの用紙の排紙速度に連動して用紙搬送速度を設定、可変する必要があり、この観点からも部間隔Ｔのデータの作成が面倒であるし、後処理モードの増加にも対応し難い。
【０００８】
もっとも、これに対応するために、例えば特開２００２−１５４６８５号公報（特許文献１）に示す画像形成装置における給紙の制御方法が提案されている。
【０００９】
この特許文献１は、画像形成装置本体における給紙条件および後処理装置により生ずる給紙条件の論理積によって部間隔を設定する構成を有し、後処理を考慮した部間隔が極めて単純な制御論理になり、後処理に要する時間を考慮した多様な部間隔制御を可能にしたものである。
【特許文献１】特開２００２−１５４６８５号公報
【発明の開示】
【発明が解決しようとする課題】
【００１０】
しかしながら、上述した特許文献１では、後処理装置における処理時間を考慮して部間の排紙タイミングを決定してはいるが、やはり、ある部における先頭頁用紙の搬送開始から、次の部の先頭頁用紙の搬送開始までの時間を予めメモリに記憶してこれを利用するものであり、後処理速度を向上させるには、依然として改善の余地がある。
【００１１】
本発明はそのような課題を解決するためになされたもので、部単位の適切な速い後処理速度を得ることが容易な画像形成装置の後処理装置および後処理システムの提供を目的とする。
【課題を解決するための手段】
【００１２】
そのような課題を解決するために本発明に係る後処理装置は、画像形成装置から排紙された用紙の搬入を検出する第１の検出部と、この第１の検出部を経た用紙に対する部毎の後処理の完了を検出する第２の検出部と、これら第１、第２の検出部の検出に基づき、部毎の最終頁用紙の搬入から後処理の完了までの期間をカウントしてカウント値を出力するカウント部と、その画像形成装置に対し、その用紙に係る第１部目と第２部目間の排紙インターバル期間として予め設定された初期値を出力するとともに、その第２部目以降の部間の排紙インターバル期間としてそのカウント値に基づく排紙制御値を出力する出力部と、を具備している。
【００１３】
本発明の後処理装置では、上記出力部が、そのカウント値に所定の付加期間を加算してその排紙制御値を出力する構成も可能である。
【００１４】
本発明の後処理装置では、上記第２の検出部が、所定位置に排紙された用紙からその後処理の完了を検出する構成も可能である。
【００１５】
本発明の後処理装置では、上記出力部が、その用紙の各部毎にその排紙制御値を出力する構成も可能である。
【００１６】
本発明に係る後処理システムは、用紙に画像形成して排紙する画像形成装置と、これに連結されるとともにその画像形成装置から排紙された用紙に対する部毎の後処理を行う後処理装置とを有する後処理システムであり、その画像形成装置は、その後処理装置からの排紙制御値に基く各部間の排紙インターバル期間で用紙を部毎に後処理装置側に排紙制御する排紙制御部を有し、上記後処理装置は、その画像形成装置から排紙された用紙の搬入を検出する第１の検出部と、この第１の検出部を経た用紙に対する部毎の後処理の完了を検出する第２の検出部と、それら第１、第２の検出部の検出に基づき、部毎の最終頁用紙の搬入から後処理の完了までの期間をカウントしてカウント値を出力するカウント部と、その画像形成装置に対し、第１部目と第２部目間の排紙制御値として予め設定された初期値を出力するとともに第２部目以降の排紙インターバル期間としてそのカウント値に基づく排紙制御値を出力する出力部と、を有している。
【００１７】
本発明の後処理システムでは、上記出力部が、そのカウント値に所定の付加期間を加算してその排紙制御値を出力する構成も可能である。
【００１８】
本発明の後処理システムでは、上記第２の検出部が、所定位置に排紙された用紙からその後処理の完了を検出する構成も可能である。
【００１９】
本発明の後処理システムでは、上記出力部が、その用紙の各部毎にその排紙制御値を出力する構成も可能である。
【発明の効果】
【００２０】
このような本発明に係る後処理装置では、画像形成装置から排紙された用紙の搬入を第１の検出部が検出し、この第１の検出部を経た用紙に対する部毎の後処理の完了を第２の検出部で検出し、これら第１、第２の検出部の検出に基づき、各部毎の最終頁用紙の搬入から後処理の完了までの期間をカウント部でカウントし、その画像形成装置に対し、出力部からそれら第１部目と第２部目間の排紙インターバル期間として予め設定された初期値を出力するとともに、第２部目以降の部間の排紙インターバル期間としてカウント値に基づく排紙制御値を出力するから、後処理に要する期間を後処理装置でカウントし、これを本体側である画像形成装置へ通知し、部単位の適切で速い後処理をなすことが容易である。
【００２１】
本発明の後処理装置において、上記出力部が、そのカウント値に所定の付加期間を加算して排紙制御値を出力する構成では、確実な後処理の確保が可能である。
【００２２】
本発明の後処理装置において、上記第２の検出部が、所定位置に排紙された用紙からその後処理の完了を検出する構成では、排紙位置に至った部単位の用紙の検出を介し、確実な後処理の完了を検出可能である。
【００２３】
本発明の画像形成装置の後処理装置において、上記出力部が、その用紙の各部毎に排紙制御値を出力する構成では、個々の部毎の後処理期間に差異があっても、自動的に部間の適切な排紙インターバル期間が設定され、自動的に適切かつ短い部間タイミングで後処理が可能となる。
【発明を実施するための最良の形態】
【００２４】
以下、本発明の実施の形態を図面を参照して説明する。なお、本発明に係る後処理装置は、本発明に係る後処理システムを説明する過程で説明する。
【００２５】
図１は本発明に係る後処理システムの実施の一形態を示す概略ブロック図であり、その後処理システムは、複合機Ａおよび後処理装置Ｂを有して構成されている。
【００２６】
図１において、複合機Ａは、主制御部１を中心にして画像読取部３、通信部５、記憶部７、操作パネル部９、印刷部１１を有する画像形成装置である。
【００２７】
主制御部１は、画像読取部３、通信部５、記憶部７、操作パネル部９および印刷部１１を制御するものであり、後述する排紙制御部１３としても機能するが、詳細は後述する。
【００２８】
画像読取部３は、例えば図２の複合機Ａにおいて、本体ケース１５の上部に配置され、主制御部１の制御の下、例えば印刷された複数頁の原稿から画像を光学的に読み込み、フィルタ処理、変倍処理および階調処理等をした電子的印刷データを印刷ジョブとして生成する公知のスキャナー等であり、生成した印刷データが原稿の頁毎に記憶部７に順次記憶されるようになっている。図２に示す複合機Ａの内部構成については後述する。
【００２９】
図１の通信部５は、主制御部１の制御の下、図示しないネットワークを介して所定のプロトコルで例えばファクシミリ通信や電子メール通信をするインターフェース部である。ファクシミリ通信や電子メール通信は、本発明の要部ではないから説明および図示を省略する。
【００３０】
記憶部７は、画像読取部３や通信部５からの印刷データを格納する他、主制御部１の動作プログラムを格納する例えばハードディスク（ＨＤＤ）であり、後処理装置Ｂとの関係で第１の記憶部として機能する。
【００３１】
操作パネル部９は、例えば図２の複合機Ａの本体ケース１５の上部に配置された液晶表示部およびタッチスイッチ入力部を兼ねた液晶操作パネル等からなっている。操作パネル部９は、印刷の実行指示の他、用紙の印刷部数、印刷された用紙に対する後処理、例えばステープル処理、パンチ処理又は中折り処理等の選択指示が可能になっており、主制御部１によって制御される。
【００３２】
印刷部１１は、図２の画像形成装置Ａの本体ケース１５内に配置され、給紙された用紙に対し、操作パネル部９で指示された部数の印刷をするものであり、白黒およびカラー印刷が可能になっている。詳細は後述する。
【００３３】
主制御部１は、ＣＰＵ、このＣＰＵの起動プログラムを格納したメモリ部、入出力インターフェース（いずれも図示せず。）を有し、上述した画像読取部３、通信部５、記憶部７、操作パネル部９、印刷部１１を制御する機能を有している。
【００３４】
主制御部１は、印刷ジョブの頁数を後処理装置Ｂの例えば後述する後処理制御部３３に出力する機能を有している。
【００３５】
主制御部１は、後処理装置Ｂから伝送された後述する排紙制御値に基づき、本体ケース１５に形成した後述する排紙口１７から印刷済み用紙を排紙制御する排紙制御部１３としても機能する。
【００３６】
なお、排紙制御部１３による排紙制御は、図示しない用紙搬送用ローラ等の回線速度や駆動のオンオフ制御によってなされる。
【００３７】
後処理装置Ｂは、図１に示すように、後述する搬送部１９を排紙口１７に連結するようして複合機Ａに併設されたもので、搬送部１９、第１の検出部２１、ステープル処理部２３、第２の検出部２５、カウント部２７、出力部２９、記憶部３１および後処理制御部３３を有して形成されている。
【００３８】
搬送部１９は、複合機Ａの排紙口１７から排紙された用紙を搬入し、この用紙を後処理装置Ｂ内で搬送、排紙する複数のローラや、これらを回転駆動するモータ（いずれも図示せず）等を有してなり、用紙の搬送路を形成している。
【００３９】
すなわち、搬送部１９は、当該後処理装置Ｂにおいて、複合機Ａから排紙された用紙を搬入、搬送するとともに、搬送路の途中に配置されたステープル処理部２３に設定部数の用紙を順次積層して貯め、ステープル処理後の用紙を後述する排紙トレイ４１等に搬送排紙する機能を有している。
【００４０】
なお、ステープル処理部２３に積層される用紙の枚数は、上述したように印刷ジョブの頁数として複合機Ａの主制御部１から後処理制御部３３を介して設定される。
【００４１】
第１の検出部２１は、搬送部１９において、複合機Ａから排紙された用紙が搬入される搬入口近傍に配置されており、複合機Ａから排紙された用紙の通過を検出し、当該用紙の先端検出を切換えタイミングとした検出信号をカウント部２７に出力するセンサである。図３中の用紙搬入間隔ｔがその検出信号に該当する。
【００４２】
ステープル処理部２３は、その頁数分の用紙を順次積層して貯める中間スタック部（図示せず。）を有して搬送路の途中に配置されており、積層された複数枚の用紙にステープル処理を施して一纏めにする機能を有している。
【００４３】
第２の検出部２５は、搬送路においてステープル処理部２３の下流側に配置され、ステープル処理されて排紙された用紙の通過を検出し、当該用紙の先端検出を切換えタイミングとした検出信号をカウント部２７に出力するセンサである。
【００４４】
なお、図３中の用紙搬入間隔ｔはその検出信号に該当するとともに、本発明では第２の検出部２５からのその検出信号が後処理の完了を示すようになっている。
【００４５】
カウント部２７は、第１、第２の検出部２１、２５の検出信号の出力時点に基づき、個々の部毎の最終頁用紙の搬入から後処理の完了までの期間をカウントし、カウント値を出力部２９に出力する機能を有している。個々の部毎の最終頁用紙は、複合機Ａから得られる例えば上述した印刷ジョブの頁数から判別される。
【００４６】
出力部２９は、複合機Ａからのステープル処理指示に基づき、第１部目と第２部目間の排紙インターバル期間として予め設定された後述する初期値を記憶部３１から読み出し、複合機Ａの印刷制御部１３に出力するとともに、第２部目以降の排紙インターバル期間として上述したカウント値に基づく排紙制御値を出力する機能を有している。
【００４７】
初期値は、図３に示すように、第１部面の最終頁用紙の搬入開始時点から第２部目の先頭頁用紙の搬入開始時点までの値であって、用紙の厚みや種類、ステープルピンの種類に応じたステープル処理に要する期間のうちの例えば最大値であり、予め記憶部３１に記憶されたものである。
【００４８】
出力部２９から出力する複排紙制御値は、カウント部２７からのカウント値に対し、遊び期間としての僅かの付加期間Ｐを加算した値である。
【００４９】
記憶部３１は、上述した初期値を格納する他、後処理制御部３３の動作プログラムを格納する例えば不揮発性メモリであり、複合機Ａとの関係で第２の記憶部として機能する。
【００５０】
後処理制御部３３は、ＣＰＵ、このＣＰＵの起動プログラムを格納したメモリ部、入出力インターフェース（いずれも図示せず。）を有し、搬送部１９、ステープル処理部２３、カウント部２７および出力部２９等を制御する機能を有している。
【００５１】
図２は、上述した複合機Ａおよび後処理装置Ｂの内部構成を示す概略図である。
【００５２】
図２において、複合機Ａの本体ケース１５の下部には、給紙カセット３５に加え、これらの給紙カセット３５から１次給紙された印刷用紙を２次給紙しながら印刷ジョブの画像を転写定着する転写定着部３７からなる上述したモノクロおよびカラーの印刷部１１が配置されている。
【００５３】
なお、図２中の符号３９は、片面に画像が転写定着された印刷用紙を表裏反転させて転写定着部３７に戻す反転搬送部である。
【００５４】
本体ケース１５の上部には、上述した画像読取部３および操作パネル部９が配置されており、主制御部１、通信部５、記憶部７および排紙制御部１３が本体ケース１５内部の適当な位置に電子回路を形成して配置されている。
【００５５】
印刷部１１の下流側には、上述したように排紙口１７が配置されている。
【００５６】
後処理装置Ｂは、複合機Ａの排紙口１７から排紙された印刷用紙を搬送する搬送部１９、搬送する印刷用紙の先端を検知する第１の検出部２１、ステープル処理部２３、第２の検出部２５、カウント部２７、出力部２９、記憶部３１、給紙制御部３３、排紙トレイ４１等を有している。
【００５７】
なお、図２中の後処理装置Ｂにおいて符号４３、４５は、後処理部としての中折り処理部およびこれからの用紙排紙トレイである。図２において、便宜上、カウント部２７、出力部２９、記憶部３１および給紙制御部３３は後処理装置Ｂの外部に図示されている。
【００５８】
次に、本発明に係る後処理システムの動作を説明する。
【００５９】
例えば、図３に示すように、第１部目から第２部目…といったように部単位印刷する場合において、印刷された用紙が複合機Ａから一定の短い用紙の間隔ｔで排紙制御され、これが後処理装置Ｂに搬入、搬送される場合を説明する。
【００６０】
操作パネル部９から部毎の印刷が指示されると、複合機Ａでは、個々の部単位印刷において、個々の用紙間隔ｔで後処理装置Ｂに排紙する。
【００６１】
後処理装置Ｂでは、複合機Ａから搬入した用紙を搬送部１９で搬送する途中、中間スタック部に所定の頁数の用紙を順次積層して貯め、ステープル処理し、その後一纏めにされた用紙を部毎に排紙トレイ４１に搬送し、排紙する。
【００６２】
この場合、後処理装置Ｂでは、第１部目の印刷において、第１の検出部２１が個々の用紙の先頭を検出して検出信号をカウント部２７に出力するとともに、第２の検出部２３が個々の部単位における一纏めの用紙先頭を検出して検出信号もカウント部２７に出力する。
【００６３】
カウント部２７は、第１、第２の検出部２１、２５からの検出信号の出力時点に基づき、個々の部毎の最終頁用紙の搬入から後処理の完了までの期間をカウントし、カウント値を出力部２９に出力する。
【００６４】
出力部２９は、部単位印刷が第１部目であれば、第２の検出部２３からの検出信号を受けて記憶部３１から初期値を記憶部３１から読み出し、この初期値を排紙制御値として複合機Ａの排紙制御部１３に出力する。
【００６５】
複合機Ａは、その初期値に基づき、排紙制御部１３によって第２部目の部単位の用紙を後処理装置Ｂ側へ排紙する。
【００６６】
後処理装置Ｂでは、第２部目以降、カウント部２７が第１、第２の検出部２１、２３からの検出信号に基づき、後処理完了時点までのカウント値を出力部２９に出力し、出力部２９が各部間の排紙インターバル期間としてカウント値に所定の付加期間を加算した排紙制御値を算出し、この排紙制御値を複合機Ａの排紙制御部１３に出力する。
【００６７】
そのため、複合機Ａでは、図３に示すように、初期値よりも短く、実際のステープル処理に応じた排紙制御値に基づき第３部目の部間排紙制御がなされる。
【００６８】
このように本発明に係る後処理システムでは、複合機（画像形成装置）Ａおよびこれに連結された後処理装置Ｂから形成されている。
【００６９】
しかも、複合機Ａは、その後処理装置Ｂからの排紙制御値に基く各部間の排紙タイミングで用紙を後処理装置Ｂ側に排紙制御する排紙制御部１３を有している。
【００７０】
他方、上記後処理装置Ｂは、複合機Ａから排紙された用紙の搬入を検出する第１の検出部２１と、この第１の検出部２１を経た用紙に対する部毎のステープル処理の完了を検出する第２の検出部２５と、それら第１、第２の検出部２１、２３の検出に基づき、部毎の先頭頁用紙の搬入から後処理の完了までの期間をカウントしてカウント値を出力するカウント部２７と、その複合機Ａに対し、第１部目と第２部目間の排紙制御値として予め設定された初期値を出力するとともに、その第２部目以降の排紙インターバル期間としてカウント値に基づく排紙制御値を出力する出力部２９とを有している。
【００７１】
そのため、部単位の後処理において、実際の後処理完了までの期間を算出し、これを本体である複合機Ａへ通知して印刷済み用紙を後処理装置Ｂ側に排紙するので、後処理の種類に応じて自動的に部間の適切な排紙インターバル間隔設定が可能で、後処理の処理速度を速めることが容易である。
【００７２】
従って、部毎の確実な後処理を確保するために、余裕をみた長い期間を設定する必要がなくなって、排紙インターバル間隔設定作業が簡素化されるし、後処理速度の高速化を介して後処理の生産性を向上させることが可能である。
【００７３】
しかも、後処理装置Ｂと複合機Ａ間の用紙の排紙速度の連動が容易になるし、種々の後処理に対応し易いうえ、複数の後処理が組み合わされても容易に対応可能である。
【００７４】
また、その第２の検出部２３からのカウント値に付加期間を加算して排紙制御値を出力するから、後処理期間に多少のばらつきが生じても、確実な後処理の確保も可能であるし、その後処理が完了して所定位置に排紙された用紙を検出するから、例えば排紙位置に至った部単位の用紙の検出を介し、確実な後処理の完了を検出可能である。
【００７５】
さらに、その用紙の各部毎に排紙制御値を出力するから、個々の部単位印刷における個々の後処理期間に差異があっても、自動的に部間の適切なインターバル期間が設定され、自動的に適切かつ短い部間タイミングで後処理が可能となる利点がある。
【００７６】
ところで、上述した構成は複合機Ａおよび後処理装置Ｂを含む後処理システムであったが、上述した後処理装置Ｂは、搬送部１９、カウント部２７、給紙部２１および後処理制御部３３を有して独立した本発明を構成可能であり、部単位の後処理の速度をより適切かつ速めることが容易となるし、確実な後処理の確保が可能となる。
【００７７】
そして、本発明において、後処理としては、上述した部毎のステープル処理に限らず、パンチ処理又は中折り処理等で実施可能であるうえ、これらの組み合わせであっても良い。
【図面の簡単な説明】
【００７８】
【図１】本発明に係る画像形成装置の後処理装置を含む後処理システムの実施の一形態を示す概略ブロック図である。
【図２】図１の後処理システムを画像形成装置の後処理装置とともに示す概略構成図である。
【図３】本発明に係る部単位印刷の動作を説明する図である。
【図４】従来の部単位印刷の動作を説明する図である。
【符号の説明】
【００７９】
１  主制御部
３  画像読取部
５  通信部
７  記憶部（第１の記憶部）
９  操作パネル部
１１  印刷部
１３  排紙制御部
１５  本体ケース
１７  排紙口
１９  搬送部
２１  第１の検出部
２３  ステープル処理部（後処理部）
２５  第２の検出部
２７  カウント部
２９  出力部
３１  記憶部（第２の記憶部）
３３  後処理制御部
３５  給紙カセット
３７  転写定着部
３９  反転搬送部
４１、４５  排紙トレイ
４３  中折り処理部（後処理部）
Ａ  複合機（画像形成装置）
Ｂ  後処理装置
【図１】
2009166976.tif 000003
【図２】
2009166976.tif 000004
【図３】
2009166976.tif 000005
【図４】
2009166976.tif 000006